(57)【特許請求の範囲】
【請求項１】
ボード本体を回転可能に支持する一対の支柱が前記ボード本体の両側方に立設され、前記支柱の少なくとも一方に前記ボード本体の回転を防止し起立状態に固定する固定装置が設けられる回転ボードであって、
前記固定装置は、前記支柱と前記ボード本体の間に位置し、一端が前記支柱に回動可能に軸着され前記ボード本体の側面に対向するように設けられるストッパーと、前記ストッパーを前記支柱から離れるように付勢する弾性部材とを備え、
前記ストッパーは、起立位置の前記ボード本体の側面に当接する押圧部と、該押圧部の下方に延設され起立位置の前記ボード本体の下端よりも下に位置する操作部とを有し、
前記ボード本体を起立位置へ回動させると、前記弾性部材により前記ストッパーの押圧部が前記ボード本体側面を押す力により前記ボード本体が起立位置で固定され、前記ストッパーの操作部を前記支柱方向へ押すと、起立位置に固定されていた前記ボード本体は前記弾性部材の付勢から開放され、回転が可能になることを特徴とする回転ボード。
【請求項２】
前記押圧部の表面にゴム部材を敷設し、前記ゴム部材の表面に複数の凸部を形成したことを特徴とする請求項１に記載の回転ボード。
【発明の詳細な説明】
【技術分野】
【０００１】
本発明は、回転させることで両面を使用するホワイトボード、黒板、掲示用ボードなどの回転ボードにおいて、ボード本体の回転を起立状態に固定できる機能を備えた回転ボードに関するものである。
【背景技術】
【０００２】
回転が可能なホワイトボードは、ボード本体と、その両側方に立設されてボード本体を支える一対の支柱と、その支柱を連結する梁とから概略構成され、該ボード本体は、支柱に回転自在に軸着あるいは枢支されている。そして、この種のホワイトボードには、その支柱部分にボード本体を起立状態に固定するための固定装置が設けられている。
【０００３】
従来使用されてきたホワイトボードの固定装置としては、例えば、支柱を水平に貫通するように支柱の外壁と内壁のそれぞれに孔を開設し、支柱の外壁の孔には、手で回転操作できるグリップを嵌装し、支柱の内壁の孔には、ストッパーに形成された突部を嵌装し、支柱内でストッパーの突部をグリップに螺合進退可能に連結させるようにしたものがある（特許文献１参照）。そして、このような構成の固定装置は、グリップを手で回転操作することで、ストッパーを水平軸方向に移動させ、該ストッパーが起立状態のボード本体の側面を押圧することによりボード本体の回転を防止し、ボード本体を起立状態に固定するようになっている。
【先行技術文献】
【特許文献】
【０００４】
【特許文献１】特開平７−１７２０９７号公報
【発明の概要】
【発明が解決しようとする課題】
【０００５】
しかしながら、上述した従来のホワイトボードの場合、起立状態でボード本体を固定するためには、回転させたボード本体を片手で起立位置に支えつつ、もう一方の手でグリップを閉めなければならない。このように、従来のホワイトボードは、ボード本体を起立状態に固定させるために両手を使わなければならないので、例えば、資料を持つなどして手が塞がっている場合には操作が容易でなく、また、手が不自由な人や手に力が入らない人にも操作が困難である。さらに、固定を解除する際にもグリップを緩める操作が必要となるため、同様の問題が生じ得る。また、この固定装置が両支柱のそれぞれに設けられている場合、グリップを締め付ける操作、あるいは緩める操作を左右の固定装置のそれぞれについて行わなければならないため、少なくとも２回の操作が必要となってしまう。また、上述した固定装置では、グリップが両支柱の外側に出っ張って設置されるため、ホワイトボード自体の幅が大きくなってしまうし、場合よっては洋服が引っ掛かってしまうこともある。
【０００６】
このように、従来のホワイトボードは、ボード本体を固定する操作、及び固定を解除する操作に手間がかかってしまうという問題があると共に、支柱の外側にはみ出すグリップによってホワイトボード自体の幅が大きくなってしまうという改良すべき点がある。
【０００７】
そこで本発明は、これらの問題点を解決すべくなされたもので、ボード本体を起立状態に容易に固定でき、さらに、固定の解除もワンタッチで行える回転ボード（ホワイトボード、黒板など）を提供することを目的とするものである。
【課題を解決するための手段】
【０００８】
かかる目的を達成するため本発明に係る回転ボードは、ボード本体を回転可能に支持する一対の支柱が前記ボード本体の両側方に立設され、前記支柱の少なくとも一方に前記ボード本体の回転を防止し起立状態に固定する固定装置が設けられる回転ボードであって、前記固定装置は、前記支柱と前記ボード本体の間に位置し、一端が前記支柱に回動可能に軸着され前記ボード本体の側面に対向するように設けられるストッパーと、前記ストッパーを前記支柱から離れるように付勢する弾性部材とを備え、前記ストッパーは、起立位置の前記ボード本体の側面に当接する押圧部を有し、前記ボード本体を起立位置へ回動させると、前記弾性部材により前記ストッパーの押圧部が前記ボード本体側面を押す力により前記ボード本体が起立位置で固定され、前記ストッパーを前記支柱方向へ押すと、起立位置に固定されていた前記ボード本体は前記弾性部材の付勢から開放され、回転が可能になることを特徴としている。
【０００９】
また、本発明に係る回転ボードの前記押圧部の少なくとも一方の側部は、前記支柱の外周に沿うように延設されていることが好ましい。
【発明の効果】
【００１０】
本発明に係る回転ボードは、上記構成により、容易にボード本体を起立状態へ固定でき、固定の解除もワンタッチでできる。具体的には、ボード本体を固定する際は、ボード本体を起立位置まで回転させるだけでよい。つまり、ボード本体を回転させ起立状態になるまで両支柱に設けられたストッパーの押圧部の間に押しこめば、後は手を離してもストッパーの押圧部がボード本体側面を弾性部材により左右両側から内側へ押圧しているので、ボード本体は起立状態に固定される。解除する際は、ストッパーの操作部を押すだけでよい。すなわち、ボード本体は操作部が押されたことにより、弾性部材による押圧部の付勢から開放され、ボード本体の固定が解除され回転可能になる。このように、ボード本体の起立状態への固定、及び、その解除操作が容易なものとなり操作性が向上する。
【００１１】
また、固定装置が支柱とボード本体との間に配置されるため、支柱の外側に部材が出っ張ることもなく、幅方向にすっきりとした見た目となる。さらに、ストッパーを軸着する側板が支柱内に収まり、目視できる部分は、操作に必要なストッパーの押圧部および操作部のみとなり、見栄えも良好になる。
【図面の簡単な説明】
【００１２】
【図１】本発明に係るホワイトボードの斜視図
【図２】本発明に係る固定装置の斜視図
【図３】固定装置の分解斜視図
【図４】固定装置の正面図
【図５】固定装置の作用を表した側面断面図
【図６】図２のＡ−Ａ断面図（ボード本体を固定した状態の固定装置の平面断面図）
【図７】ゴム部材の凸部が他の実施形態の場合のストッパー斜視図
【図８】操作部が他の実施形態の場合の側面断面図
【図９】ゴム部材の凸部が他の実施形態の場合のストッパー斜視図
【図１０】図９の固定装置の平面断面図
【図１１】ゴム部材の凸部が他の実施形態の場合の固定装置の平面断面図
【発明を実施するための形態】
【００１３】
以下、本発明に係る回転ボードの最良の実施の形態を図面に基づき詳しく説明する。ここで、本実施の形態ではホワイトボードについて説明するが、チョーク等で書き込みをする黒板や紙等を掲示する掲示ボードなどでも同様の構成である。図１は本実施の形態に係る回転ボードの外観斜視図である。この回転ボード１は、回転させることで表裏の両面を使用できるボード本体２と、前記ボード本体２を回転可能に支持する一対の支柱３，３と、前記支柱３，３を直立に支える支持杆４と、前記支柱３，３同士を連結する横杆５とからなる。そして、ボード本体２の起立状態を固定するために、前記支柱３，３の少なくとも一方に固定装置２０が設けられている。なお、本実施の形態では、固定装置２０を両支柱３，３に設けた場合で説明を行う。
【００１４】
前記ボード本体２は、矩形状、ここでは横長長方形状に形成され、その両側方に立設した一対の支柱３，３により保持されている。ボード本体２は、その両側端部の略中央で前記支柱３，３に枢支され、水平軸周りに前後方向へ自在に回動できるように設けられている。そして、前記ボード本体２の四辺周縁に縁枠材７が嵌着されている。前記縁枠材７は、図２の側断面に示されているように、その長手方向に対し直交する断面形状がＨ字状に形成され、両枠壁８，８間の内側面と外側面とにそれぞれ長手方向に沿って溝部９，９が形成されている。そして、内側の溝部９にボード本体２の外周縁が嵌入されている。これに対し、外側の溝部９はそのまま開放されている。また、前記ボード本体２の表裏面には琺瑯仕上げがなされ、各種水性インキペン等の筆記具により文字や絵が自由に書いたり消せるようになっている。
【００１５】
前記支柱３は、断面が楕円形をなす筒状をし、ボード本体２の両側方に立設してその上方でボード本体２を回転可能に枢支し、その下端で支持杆４に固着されて鉛直に起立している。前記各支持杆４は起立状態のボード本体２の表面に対し直行する方向に沿って水平に配置され、その両端下面にそれぞれ床面に接するキャスター１１を設けている。そして、支柱３，３は、横杆５を介して連結される。詳しくは、前記横杆５の両端に当て金１２を配し、支柱３、３と横杆５は前記当て金１２を介してナットにより連結される。また、前記横杆５には粉受け部１３が引掛部１３ａによって設置されている。前記横杆５は、回転するボード本体２の下端に干渉しない位置から更に所定の間隔を開けた下方に設けられる。ここで、所定の間隔とは、後述する固定装置２０のストッパー２１の操作部２５を操作する際に指を挟まずに安全に操作できる程度の間隔である（例えば５ｃｍ程度）。 
【００１６】
前記各支柱３，３の内側には、後述する固定装置２０のストッパー２１が設置される。前記ストッパー２１は横杆５の上方に位置する。支柱３、３には、このストッパー２１を設置するためのスリット１５，１５及び支軸孔１６，１６が開設される。前記スリット１５，１５は、各支柱３のそれぞれの内壁３ａに設けられ、鉛直方向に長い長方形の孔である。この実施例では、前記スリット１０は鉛直方向に平行して２つ開設されている。前記支軸孔１６，１６は、前記スリット１５，１５より上方に開設された孔であり、前記内壁３ａと直交する前壁３ｃ及び後壁３ｄのそれぞれ対向する位置に開設されている。
【００１７】
次に前記支柱３，３に設けられる固定装置２０について説明する。図３は固定装置２０の分解斜視図、図４は正面図、図５は側面断面図である。前記固定装置２０は、前記支柱３，３にそれぞれ設けられるストッパー２１と、該ストッパー２１を付勢する弾性部材４０とから概略構成されている。
【００１８】
まず、ストッパー２１について詳述すると、ストッパー２１は、平板状の胴体部２２の下端にボード本体２の側面が当接する押圧部２３が設けられていると共に、胴体部２２の上端に該胴体部２２に対して支柱３側へ略直角に屈曲する一対の側板２４，２４が設けられて形成されている。なお、両側板２４，２４の対向位置にはそれぞれ支軸２５が挿通される軸孔２６，２６が開設されている。さらに、前記胴体部２２は、押圧部２３に対して支柱３側へ若干傾斜するように形成されており、また、胴体部２２には、後述する弾性部材４０を螺着するためのネジ孔２７が開設されている。さらに、押圧部２３の両側には支柱３に沿って湾曲するガイド部２８が延設されており、押圧部２３の下方にはストッパー２１を解除する際に操作するための操作部２９が延設されている。
【００１９】
また、図６に示すように前記押圧部２３と前記両ガイド部２８の表面にはゴム部材３１が敷設されている。ゴム部材３１の表面全体には、鉛直方向に平行な凹部３２ａおよび凸部３２ｂが交互に形成されている。
【００２０】
前記弾性部材４０は、側面視略くの字状に形成されており、上端部にネジ孔４１が開設されている。そして、弾性部材４０をストッパー２１と支柱３の間に介在させ、弾性部材４０上端のネジ孔４１とストッパー２１の胴体部２２のネジ孔２７とを合致させた状態でネジ４２を螺合することにより弾性部材４０が装着される。このとき、弾性部材４０は、支柱３側へ屈曲してその下端部が支柱３の内壁３ａに接触し、ストッパー２１をボード本体２側へ付勢している。
【００２１】
上記構成からなるストッパー２１を支柱３に取り付ける場合、まず、ストッパー２１の側板２４，２４を支柱３に開設されたスリット１５，１５に挿入し、この側板２４，２４の軸孔２６，２６及び支柱３の支軸孔１６，１６に支軸２５を挿通する。このとき、支軸２５が支柱３の外側まで貫通するので、この一方側に形成されている環状溝２５ａにｅリング４５を嵌合する。このようにして、ストッパー２１は支軸２５により、支柱３に回動可能に取り付けられる。支柱３に取り付けられたストッパー２１は、図２に示すように、押圧部２３が起立状態のボード本体側面の下端２ａに対向するように位置し、操作部２９が起立状態のボード本体２の下端より下方であってかつ横杆５より上方に位置することになる。
【００２２】
次に回転ボード１の使用方法について、はじめに、ボード本体２が起立していない状態から起立状態に固定させる場合、次いで、起立状態から固定を解除する場合という順で説明する。ボード本体２が起立状態でないときは、まず、起立していないボード本体２側面の下端２ａがストッパー２１のガイド部２８に接する位置まで回転させる。この状態からボード本体２の下端を後方へ押し込むようにすると、ボード本体側面の下端２ａがストッパー２１のガイド部２８に案内されながら押圧部２３へと移動していく。このとき、ストッパー２１は、その弾性部材４０の付勢に抗して支柱３方向へと押圧されていく（図５の矢印方向）。さらにボード本体２の下端を後方へ押し込むと、ボード本体２は、押圧部２３に支持されて起立状態になる。このとき、ストッパー２１は図５の実線で表した状態になり、この起立状態でボード本体２を押すことを止めると、ボード本体２の両側面の下端２ａは、左右それぞれのストッパー２１に設けられた弾性部材４０により左右両側から内側に押圧されるため、起立状態に固定される。
【００２３】
このように、本発明に係る回転ボード１によれば、ボード本体２を起立位置まで回転させるだけで、容易にボード本体２を起立状態に固定できる。すなわち、ボード本体２を回転させ起立状態になるまで両支柱３，３に設けられた押圧部２３の間に押しこめば、後は手を離しても、押圧部２３がボード本体側面を弾性部材４０により左右両側から内側へ押圧しているので、ボード本体２は起立状態に固定される。さらに、前記ストッパー２１は、起立状態のボード本体２側面に対向するように、押圧部２３上端からわずかに屈曲しているため、ボード本体２側面を押圧する際、押圧部２３は垂直状態となる。よって、押圧部２３表面とボード本体２側面は平行になり、ボード本体２側面を水平方向に付勢できる。
【００２４】
また、図６から分かるように、この起立状態でボード本体２の縁枠材７と、ストッパー押圧部２３表面のゴム部材３１に形成された凸部３２ｂが係合することによって、この起立状態で文字を書くなど使用しても、がたつくことが防止できる。また、凸部３２ｂがゴム部材３１全面に多数形成されているので、仮に使用中に強い力が加わってボード本体２がずれてしまっても、常に凸部３２ｂは弾性部材４０により支柱３から離れる方向に付勢されているので、ボード本体２の縁枠材７は隣の凸部３２ｂに再び係合し、ボード本体２がストッパー２１から外れる恐れはない。このように、凸部３２ｂが複数形成され、ボード本体２の縁枠材７と係合できる位置が複数ある。さらに、使用する状態においてこの凸部３２ｂは垂直に形成されているため、起立位置のボード本体２の縁枠材７と係合しやすい。
【００２５】
次に、起立状態にあるボード本体２の固定を解除する場合について説明する。固定を解除するためには、ストッパー２１の操作部２９を弾性部材４０の付勢に抗して支柱３側へ押圧する。すなわち、該操作部２９を図５の実線で表した状態よりも更に支柱３方向へ押圧操作する。すると、ボード本体２の縁枠材７と、ストッパー２１の押圧部２３のゴム部材３１に形成された凸部３２ｂとの係合がはずれ、ボード本体２側面と押圧部２３が離れ、ボード本体２が回転可能になる。ここで、ストッパー２１の操作部２９は、解除の操作を行うとき、起立状態に固定されたボード本体２の下端と横杆５との間に位置するので、手を挟むような危険性がなく、安全に操作できる。また、操作部２９を、弾性部材４０の支点であるネジ４２から離したストッパー２１の下端に設けたことにより、上記のように安全で押しやすいだけでなく、より小さい力で付勢が解除できるように工夫されている。
【００２６】
このように、本発明に係る回転ボードによれば、ボード本体２を起立状態から解除するには、ストッパー２１の押圧部２３の下方に延設された操作部２９を押すだけでよい。ボード本体２は操作部２９が押されたことにより、弾性部材４０による押圧部２３の付勢から開放され、ボード本体２の固定が解除され回転可能になる。よって、ボード本体２の起立状態の解除も容易になり操作性が向上する。なお、上述のとおり、本発明に係る回転ボード１のストッパー２１には、操作部２９を設けた方がボード本体２の固定を解除することが容易であるが、仮に操作部２９を設けなかったとしても、ストッパー２１の押圧部２３を直接支柱３側へ押してやればボード本体２の固定を解除することが可能である。
【００２７】
また、ストッパー２１の押圧部２３の両側には支柱３に沿って湾曲するガイド部２８が延設されているため、回転してきたボード本体２を受け入れやすく、起立状態へボード本体２を押し込みやすい形状となっている。同様に、ボード本体２を固定状態から解除して回転させる際も、押し出しやすい形状となっている。すなわち、前後どちらの回転方向からでも受け入れられ、どちらの回転方向でも開放ができるという使用に適した構成となっている。なお、本実施の形態では、ガイド部２８が湾曲状になっているもので説明したが、これに限られるわけではなく、ガイド部２８をテーパー状に形成してもよい。
【００２８】
さらに、本発明に係る固定装置２０は、ストッパー２１から立設した側板２４，２４を支柱３に開設させたスリット１５，１５に挿入して支柱３内部に位置させたことにより、ストッパー２１が軸着される部分が支柱３内に収まり、目視できる部分は操作に必要なストッパー２１の押圧部２３および操作部２９のみとなり、デザイン的にもすっきりとさせることができる。また、本発明に係る固定装置２０は、構成部品の数も少なく、支柱３や横杆５などにも複雑な加工は必要ないため、製作の工程数も削減できる。
【００２９】
なお、本実施の形態では固定装置２０を両支柱３，３に設けた場合について説明したが、固定装置２０を一方の支柱３にのみ設置することも考えられる。固定装置２０を一方の支柱３に設ける場合、例えば、ストッパー２１の押圧部２３に対向するように、他方の支柱３に受け部材を設けておけばよい。受け部材は、前記押圧部２３に押圧されたボード本体２側面のもう一方側の側面に対向してボード本体２側面を受け入れる部材であり、押圧部２３と受け部材がボード本体２の両側面を押圧することによりボード本体２を固定できる。
【００３０】
また、押圧部２３表面のゴム部材３１に形成される凸部３２ｂの形状は、ボード本体２の縁枠材７と合致できる形状であれば他の構造であっても良いことは勿論である。例えば、図７で示したように、ピラミッド形状のような凸部５０が多数設けられた形状であってもよいし、それを反転させた凹部が多数設けえられた形状も考えられる。このような形状であっても、同一垂線上に並んだ各凸部５０がボード本体２の縁枠材７と合致するため、ボード本体２を係止できる。
【００３１】
さらに、図８で示したように、ストッパー２１の操作部２９の下方を支柱３から離れるように屈曲させてもよく、こうすることでストッパー２１を支柱３側へより深く押圧することが可能になる。また、操作部２９の裏面にクッション材を設けてもよく、これにより操作部２９が支柱３あるいは当て金１２に当たる際に音がでないようにすることができるし、支柱３あるいは当て金１２に傷が付くことも避けられる。
【００３２】
図９及び図１０は、ストッパー２１についての他の実施形態を示すもので、この実施形態のストッパー２１は、押圧部２３に凸部５１が１つ設けられている。なお、図９及び図１０において、前記した実施の形態と同じ構成要素には同一符号を付して説明する。ストッパー２１の押圧部２３の表面にはゴム部材３１が敷設されているが、さらにこのゴム部材３１の表面に凸部５１が設けられている。凸部５１は、中央部が隆起した山形状に形成されており、押圧部２３の中央位置より前側へ少しずれて位置している。また、凸部５１は、鉛直方向に所定の長さ（押圧部２３に収まる長さ）を有していると共に、凸部５１の水平方向の長さは、ボード本体２周縁の縁枠材７に形成されている溝部９の幅よりも狭く形成されている。
【００３３】
次に前記凸部５１が形成されたストッパー２１の使用方法について説明する。ボード本体２が起立状態でないときは、まず、起立していないボード本体２側面の下端２ａをストッパー２１のガイド部２８に接触させながら、さらに後方へ押し込むようにする。このとき、ストッパー２１は、その弾性部材４０の付勢に抗して支柱３方向へと押圧されていき、ボード本体２側面の下端２ａがストッパー２１の押圧部２３に到達する。ここで、ボード本体２側面の下端２ａに位置している縁枠材７の後側の枠壁８が押圧部２３の凸部５１に当たるが、該凸部５１が山形状になっているため、該枠壁８は、凸部５１の傾斜に案内されながら凸部５１を越えていくことになる。そして、凸部５１がボード本体２の縁部材７に形成されている溝部９内に収まったところで、ボード本体２を押すことを止めると、ボード本体２側面の下端２ａは、ストッパー２１に設けられた弾性部材４０により内側に押圧されるため、起立状態に固定される。逆に、起立状態にあるボード本体２の固定を解除する場合は、ストッパー２１の操作部２９を弾性部材４０の付勢に抗して支柱３側へ押圧すれば、ボード本体２の縁枠材７と、ストッパー２１の押圧部２３との係合がはずれ、ボード本体２の側面と押圧部２３が離れ、ボード本体２が回転可能になる。
【００３４】
ここに説明したストッパー２１の凸部５１は、先に述べたとおりボード本体２の縁枠材７の溝部９の幅よりも幅狭に形成されているため、凸部５１が溝部９内に収容されている状態において、ボード本体２下端をわずかに前後方向へずらすことが可能となる。また、この凸部５１は、ストッパー２１の押圧部２３の中央位置からずれた前方側に形成されているので、ボード本体２の下端をわずかに前方へ出して傾斜させた状態で固定できる。このように、凸部５１に合わせてボード本体２を起立させれば、ボード本体２に最適な傾斜角度をもたせた状態で固定できるので、使用者にとって文字が書きやすくなるなど利便性が向上する。また、回転ボード１が黒板の場合には、黒板本体に傾斜がつけられるため、粉が黒板上を滑り粉受け部１３に落ちやすくなるという利点もある。
【００３５】
図１１は、ストッパー２１についての他の実施形態を示すもので、この実施形態のストッパーは、押圧部２３に凸部５２が２つ設けられている。なお、図１１において、前記した実施の形態と同じ構成要素には同一符号を付して説明する。ストッパー２１の押圧部２３の表面にはゴム部材３１が敷設されているが、さらにこのゴム部材３１の表面に２つの凸部５２，５２が設けられている。凸部５２は、中央部が隆起した山形状に形成されており、鉛直方向に所定の長さ（押圧部２３に収まる長さ）を有している。また、二つの凸部５２，５２間の幅は両枠壁８，８の両外側面間の幅よりも広く設定されている。
【００３６】
次に前記凸部５２が形成されたストッパー２１の使用方法について説明する。ボード本体２が起立状態でないときは、まず、起立していないボード本体２側面の下端２ａをストッパー２１のガイド部２８に接触させながら、さらに後方へ押し込むようにする。このとき、ストッパー２１は、その弾性部材４０の付勢に抗して支柱３方向へと押圧されていき、ボード本体２側面の下端２ａがストッパー２１の押圧部２３に到達する。ここで、ボード本体２側面の下端２ａに位置している縁枠材７の後側の枠壁８が押圧部２３の凸部５２，５２に当たるが、該凸部５２が山形状になっているため、該枠壁８は、凸部５２の傾斜に案内されながら凸部５２を越えていくことになる。そして、ボード本体２の縁部材７が二つの凸部５２，５２間に収まったところで、ボード本体２を押すことを止めると、ボード本体２側面の下端２ａは、ストッパー２１に設けられた弾性部材４０により内側に押圧されるため、起立状態に固定される。逆に、起立状態にあるボード本体２の固定を解除する場合は、ストッパー２１の操作部２９を弾性部材４０の付勢に抗して支柱３側へ押圧すれば、ボード本体２の縁枠材７と、ストッパー２１の押圧部２３との係合がはずれ、ボード本体２の側面と押圧部２３が離れ、ボード本体２が回転可能になる。
【００３７】
ここに説明したストッパー２１の二つの凸部５２，５２間の幅は、先に述べたとおり、両枠壁８，８の両外側面間の幅よりも広く設定されているため、ボード本体２が押圧部２３に押圧されて固定された状態のまま、ボード本体２下端をわずかに前後方向へずらすことが可能で、ひいてはボード本体２に傾斜をもたせることが可能となる。このように、本実施の形態に係るストッパー２１によれば、ボード本体２に傾斜をもたせた状態で固定できるので、使用者の使い勝手に合わせて角度が微調整でき文字が書きやすくなる。さらに、使用者が文字を書くなどして前方から力を加えても、ボード本体２の後方に凸部５２が形成されているので、ボード本体２の固定がはずれてしまうことも回避できる。
【００３８】
なお、図９及び図１０に示した実施の形態の凸部５１と、図１１に示した実施の形態の凸部５２，５２は、いずれもストッパー２１の押圧部２３に敷設されたゴム部材２６の表面に形成されている例を説明したが、もちろん、ゴム部材３１ではなく、ストッパー２１の押圧部２３に凸部５１又は凸部５２，５２を直接形成しても良い。
【符号の説明】
【００３９】
１        回転ボード
２        ボード本体
３        支柱
５        横杆
７        縁枠材
９        溝部
２０      固定装置
２１      ストッパー
２３      押圧部
２４      側板
２９      操作部
３１      ゴム部材
３２ｂ    凸部
４０      弾性部材
【図１】
0005714914.tif 000002
【図２】
0005714914.tif 000003
【図３】
0005714914.tif 000004
【図４】
0005714914.tif 000005
【図５】
0005714914.tif 000006
【図６】
0005714914.tif 000007
【図７】
0005714914.tif 000008
【図８】
0005714914.tif 000009
【図９】
0005714914.tif 000010
【図１０】
0005714914.tif 000011
【図１１】
0005714914.tif 000012